(57)【要約】【課題】液晶ディスプレイの組立性作業性を改善したバックライト用コネクタの取付構造を提供する。【解決手段】反射板１０に取り付けられるコネクタ上部５０と、回路基板４０に取り付けられるコネクタ下部６０とからなり、コネクタ上部５０は、蛍光灯３０の芯線３１と接触し得る第１接触部１０１及びコネクタ下部６０の電源端子６２と接触し得る第２接触部１０２が形成されたコネクタ端子１００を備え、コネクタ下部６０は、ベース部６５に支持されたリード部６２ｂ及びスライド部６１に支持された第３接触部６２ａ並びに第３接触部６２ａとリード部６２ｂとの間に介設された可撓部６２ｅが形成された電源端子６２を備え、コネクタ上部５０の固定部７０を反射板１０に固定し、電源端子６２のリード部６２ｂを回路基板４０に半田付けしてコネクタ下部６０のベース部６５を回路基板４０に固定し、コネクタ上部５０の嵌入部７４をコネクタ下部６０の嵌入孔６３に挿入し、第２接触部１０２を第３接触部６２ａに接触させた。【選択図】図１０
2008117704.tif 000002
【特許請求の範囲】
【請求項１】
反射板に取り付けられるコネクタ上部と、回路基板に取り付けられるコネクタ下部とからなるバックライト用コネクタの取付構造であって、
上記コネクタ上部は、バックライトとしての蛍光灯を着脱すべく可動するアクチュエータと、上記反射板に取り付けられる固定部と、上記反射板側から上記回路基板側に延出された嵌入部と、上記蛍光灯の芯線と接触し得る第１接触部及び上記コネクタ下部に装着された電源端子と接触し得る第２接触部が形成されたコネクタ端子とを備え、
上記コネクタ下部は、上記回路基板に取り付けられるベース部と、該ベース部に対して移動可能なスライド部と、該スライド部に形成され上記嵌入部が挿入される嵌入孔と、上記ベース部に支持されたリード部及び上記スライド部に支持された第３接触部並びに該第３接触部と上記リード部との間に介設された可撓部が形成された電源端子とを備え、
上記コネクタ上部の上記固定部を上記反射板に固定し、上記電源端子の上記リード部を上記回路基板に半田付けして上記コネクタ下部の上記ベース部を上記回路基板に固定し、  上記コネクタ上部の上記嵌入部を上記コネクタ下部の上記嵌入孔に挿入し、上記コネクタ端子の上記第２接触部を上記電源端子の上記第３接触部に接触させたことを特徴とするバックライト用コネクタの取付構造。
【請求項２】
上記嵌入孔は、上記嵌入部が深さ自在に挿入され、且つ挿入された嵌入部を上記回路基板の面内にて上記蛍光灯の長手方向と直交する方向に移動可能に受け入れるものであり、  上記スライド部は、上記ベース部に対して上記蛍光灯の長手方向に移動可能に上記回路基板に取り付けられた請求項１に記載のバックライト用コネクタの取付構造。
【請求項３】
上記コネクタ上部は、所定間隔を隔てて対向された一対を一組として略平行に所定ピッチで複数上記反射板に配設され、
上記コネクタ下部は、上記コネクタ上部に対応させて上記所定間隔と同間隔且つ上記所定ピッチと同ピッチで上記回路基板に配設された請求項１又は２に記載のバックライト用コネクタの取付構造。
【請求項４】
上記コネクタ下部は、上記ベース部と上記スライド部とを弾性的に繋ぐヒンジ部を備えた請求項１〜３いずれかに記載のバックライト用コネクタの取付構造。
【発明の詳細な説明】
【技術分野】
【０００１】
本発明は、液晶ディスプレイに用いられるバックライト用コネクタの取付構造に係り、特に、液晶ディスプレイの組立作業性を向上できるバックライト用コネクタの取付構造に関する。
【背景技術】
【０００２】
液晶テレビやコンピュータ等の液晶ディスプレイの背面を照射するバックライトとしての蛍光灯は、直径が２．６乃至５．０ｍｍと言った極細のもので、上記ディスプレイの裏面に配置された反射板に、複数本、平行に配設されている。かかる蛍光灯に電力を供給するためにそこから外部に引き出されている芯線は、通常、電源に連なる端子線に、直接、半田付けされている。
【０００３】
また、特許文献１の図８には、各蛍光灯の芯線に夫々端子線を半田付けし、それら端子線の先端に設けられたプラグを回路基板に実装されたソケットに夫々嵌合させるようにしたものが記載されている。また、特許文献２の図１（ａ）、図１（ｂ）には、各蛍光灯の芯線に夫々ケーブルを半田付けし、それらケーブルの先端に設けられたプラグを回路基板に実装されたソケットに夫々嵌合させるようにしたものも知られている
【特許文献１】特開２００５−１８０３１１号公報
【特許文献２】特開２０００−０４７１６９号公報
【発明の開示】
【発明が解決しようとする課題】
【０００４】
上記文献１、２に記載されたものにおいては、各蛍光灯の芯線と、端子線或いはケーブルとを、夫々半田付けしなけれなならない。この半田付け作業は、極めて煩雑であり、且つ蛍光灯の数の分だけ行う必要があるため、液晶ディスプレイの組立作業性（生産性）の向上を阻害している。
【０００５】
また、文献１、２に記載されたものにおいては、各蛍光灯の芯線に端子線或いはケーブルを介して接続されたプラグを、回路基板に実装されたソケットに、一つずつ嵌合しなければならない。この嵌合作業は、蛍光灯の数の分だけ行わなければならならず、プラグ及びソケットのサイズが蛍光灯の直径（２．６乃至５．０ｍｍ）に応じて小さく、極めて狭い空間で行われることになるため、容易とはいえない。
【０００６】
本発明は、この点に鑑みて成されたもので、その目的は、液晶ディスプレイの組立性作業性を改善し、その生産性を向上し得るバックライト用コネクタの取付構造を提供することにある。
【課題を解決するための手段】
【０００７】
上記目的を達成すべく本発明は、反射板に取り付けられるコネクタ上部と、回路基板に取り付けられるコネクタ下部とからなるバックライト用コネクタの取付構造であって、上記コネクタ上部は、バックライトとしての蛍光灯を着脱すべく可動するアクチュエータと、上記反射板に取り付けられる固定部と、上記反射板側から上記回路基板側に延出された嵌入部と、上記蛍光灯の芯線と接触し得る第１接触部及び上記コネクタ下部に装着された電源端子と接触し得る第２接触部が形成されたコネクタ端子とを備え、上記コネクタ下部は、上記回路基板に取り付けられるベース部と、該ベース部に対して移動可能なスライド部と、該スライド部に形成され上記嵌入部が挿入される嵌入孔と、上記ベース部に支持されたリード部及び上記スライド部に支持された第３接触部並びに該第３接触部と上記リード部との間に介設された可撓部が形成された電源端子とを備え、上記コネクタ上部の上記固定部を上記反射板に固定し、上記電源端子の上記リード部を上記回路基板に半田付けして上記コネクタ下部の上記ベース部を上記回路基板に固定し、上記コネクタ上部の上記嵌入部を上記コネクタ下部の上記嵌入孔に挿入し、上記コネクタ端子の上記第２接触部を上記電源端子の上記第３接触部に接触させたものである。
【０００８】
また、上記嵌入孔は、上記嵌入部が深さ自在に挿入され、且つ挿入された嵌入部を上記回路基板の面内にて上記蛍光灯の長手方向と直交する方向に移動可能に受け入れるものであり、上記スライド部は、上記ベース部に対して上記蛍光灯の長手方向に移動可能に上記回路基板に取り付けられることが好ましい。
【０００９】
また、上記コネクタ上部は、所定間隔を隔てて対向された一対を一組として略平行に所定ピッチで複数上記反射板に配設され、上記コネクタ下部は、上記コネクタ上部に対応させて上記所定間隔と同間隔且つ上記所定ピッチと同ピッチで上記回路基板に配設されることが好ましい。
【００１０】
また、上記コネクタ下部は、上記ベース部と上記スライド部とを弾性的に繋ぐヒンジ部を備えることが好ましい。
【発明の効果】
【００１１】
本発明に係るバックライト用コネクタの取付構造によれば、液晶ディスプレイの組立性作業性を改善でき、その生産性を向上できる。
【発明を実施するための最良の形態】
【００１２】
以下、本発明の好適実施形態を添付図面に基づいて説明する。
【００１３】
図１は、液晶ディスプレイ（図示せず）の背面に配置される反射板１０を液晶ディスプレイ側から見た概略斜視図、図２は、図１の反射板１０を図１とは反対側から見た概略斜視図である。
【００１４】
反射板１０は、アルミ製のベース板１１と、その上に積層されたプラスチック製の白い表板１２とから成っている。反射板１０のベース板１１には、本実施形態に係るバックライト用コネクタ２０が複数対（本実施形態では３対）装着されている。１対のバックライト用コネクタ２０の間には、バックライトとしての蛍光灯３０がセットされている。なお、蛍光灯３０の数、即ちバックライト用コネクタ２０の対の数は、液晶ディスプレイの大きさ等によって適宜変更される。
【００１５】
図中、蛍光灯３０の長手方向をＸ方向とし、反射板１０の面内にてＸ方向と直交する方向をＹ方向とし、反射板１０の垂直方向をＺ方向とする。
【００１６】
反射板１０の裏面側（ベース板１１側）には、バックライト用コネクタ２０に電力を供給するための回路基板４０が、反射板１０からＺ方向に間隔を隔てて反射板１０と平行に配置されている。回路基板４０は、本実施形態では反射板１０の両側にバックライト用コネクタ２０の配列方向に沿って２枚配設されているが、図１及び図２において、説明の都合上、図中左方の回路基板４０のみを表示し、図中右方の回路基板４０を省略している。なお、２枚の回路基板４０は、一体化されていてもよい。
【００１７】
本実施形態に係るバックライト用コネクタ２０は、反射板１０に装着され蛍光灯３０を保持するコネクタ上部５０と、回路基板４０に装着され蛍光灯３０に電力を供給するためのコネクタ下部６０とから構成されている。コネクタ上部５０は、Ｘ方向に所定間隔を隔てて対向された一対を一組として略平行にＹ方向に所定ピッチで複数（本実施形態では３組）反射板１０に配設されている。コネクタ下部６０は、コネクタ上部５０に対応させて、上記所定間隔と同間隔且つ上記所定ピッチと同ピッチで回路基板４０に配設されている。なお、図２では、説明の都合上、図中左方のコネクタ下部６０のみを表示し、図中右方のコネクタ下部６０を省略している。
【００１８】
図３は、図２の部分拡大図である。
【００１９】
コネクタ下部６０は、回路基板４０に固定されるベース部６５と、ベース部６５に対しＸ方向に移動可能なスライド部６１とを有している。スライド部６１は、略直方体状に形成されており、回路基板４０に形成された長方形状の取付孔４１に挿通されている。取付孔４１は、Ｘ方向の寸法がスライド部６１の同方向の寸法よりも大きく形成され、Ｙ方向の寸法がスライド部６１の同方向の寸法に合わせて形成されている。これにより、スライド部６１は、取付孔４１内にてＸ方向に移動可能、Ｙ方向に移動不能となっている。
【００２０】
ベース部６５とスライド部６１と間には、Ｕ字状に屈曲されたヒンジ部６４が介設されている。ヒンジ部６４は、スライド部６１がベース部６５に対してＸ方向に移動したとき、弾性的に変形する。ベース部６５、ヒンジ部６４及びスライド部６１は、本実施形態では樹脂等によって一体的に形成されているが、ベース部６５とスライド部６１とは電源端子６２を介して連結されるため、ヒンジ部６４を省略してベース部６５とスライド部６１とを別体としてもよい。
【００２１】
スライド部６１には、コネクタ上部５０に形成された嵌入部７４が挿入される嵌入孔６３が、Ｚ方向に形成されている。嵌入孔６３は、断面長方形状に形成されており、断面略長方形状に形成された嵌入部７４を、Ｙ方向に移動可能且つＸ方向に移動不能に受け入れる。すなわち、嵌入孔６３は、Ｙ方向の寸法が嵌入部７４の同方向の寸法よりも大きく形成され、Ｘ方向の寸法が嵌入部７４の同方向の寸法に合わせて形成されている。
【００２２】
図４は図２のコネクタ下部６０を単独で表示した斜視図、図５は図４のコネクタ下部６０を反対側から見た斜視図、図６は図４のコネクタ下部６０の縦断面斜視図である。
【００２３】
コネクタ下部６０は、上述したように、回路基板４０に固定されるベース部６５と、ベース部６５に対してＸ方向に移動可能なスライド部６１と、ベース部６５とスライド部６１とを接続するヒンジ部６４とを有する。スライド部６１には、回路基板４０の取付孔４１（図１０参照）に挿通される脚部６６が形成され、脚部６６には、回路基板４０の裏面に係合するフック６７が形成されている。フック６７は、その係合面６７１がＸ方向に沿って長く形成されており、スライド部６１を取付孔４１の縁部に沿ってＸ方向に移動可能にガイドする。他方、ヒンジ部６４は、Ｕ字状に屈曲された尾根の部分がＹ方向に沿っており、ベース部６５に対するスライド部６１のＸ方向の移動を許容する。
【００２４】
コネクタ下部６０には、電源端子６２が装着されている。電源端子６２は、ベース部６５に圧入されるベース圧入部６２ｃと、スライド部６１に圧入されるスライド圧入部６２ｄと、これらベース圧入部６２ｃとスライド圧入部６２ｄとの間に配置されてＵ字状に屈曲された可撓部６２ｅ（請求項２の可撓部）と、ベース圧入部６２ｃから延出され回路基板４０に半田付けされるリード部６２ｂと、スライド圧入部６２ｄから延出されスライド部６１に形成された嵌入孔６３の内面に突出して露出された断面く字状の接触部６２ａ（請求項２の第３接触部）とからなっている。可撓部６２ｅは、その屈曲部の尾根の向きがヒンジ部６４の尾根の向きに対応しており、ベース部６５に対してスライド部６１がＸ方向に移動したとき、弾性的に変形する。
【００２５】
図７は図１に示すコネクタ上部５０及び蛍光灯３０の斜視図、図８は図７の斜視縦断面図、図９はコネクタ上部５０の分解斜視図である。
【００２６】
コネクタ上部５０は、反射板１０（図１０参照）にリジッドに固定される固定部７０と、蛍光灯３０を保持する保持部８０と、保持部８０を固定部７０に蛍光灯３０の長手方向（Ｘ方向）に移動可能に係合する滑り機構９０と、蛍光灯３０に電力を供給するため保持部８０と固定部７０とを架け渡すように形成されたコネクタ端子１００とを有する。
【００２７】
固定部７０は、固定部本体７１と、固定部本体７１に形成され反射板１０の取付孔１３（図１０参照）の四隅に当接するように挿通される４本の脚部７２と、脚部７２に形成され反射板１０の裏面に係合するフック７３と、固定部本体７１から反射板１０の裏面側（回路基板４０側）に向けてＺ方向に延出された嵌入部７４と有する。かかる固定部７０は、その脚部７２及びフック７３によって反射板１０の取付孔１３にリジッドに装着され、Ｘ方向、Ｙ方向及びＺ方向に移動不能となる。
【００２８】
保持部８０は、保持部本体８１と、保持部本体８１に逆オメガ字状に形成された蛍光灯受け部８２と、蛍光灯受け部８２に係合された蛍光灯３０を上方から覆うべく保持部本体８１に回動可能に装着されたアクチュエータ８３とを有する。蛍光灯受け部８２は、蛍光灯３０を所定の力で弾性的に保持する。アクチュエータ８３は、断面コ字状に形成され、その内面の両側部には、保持部本体８１に形成された凹部８４に係合することで、アクチュエータ８３を閉状態に保持するための凸部８５が形成されている。
【００２９】
滑り機構９０は、固定部７０にフック状に形成された係止部９１と、保持部８０に段差状に形成された被係止部９２と、固定部７０に形成された載置面９３と、保持部８０に形成された被載置面９４とを有する。載置面９３と被載置面９４とはＸＹ平面と平行に形成され、係止部９１の係止面９１１と被係止部９２の被係止面９２１とはＸ方向に沿って形成され、被係止面９２１の長さは係止面９１１の長さよりも長く形成されており、保持部８０が固定部７０に対してＸ方向にのみ移動可能となっている。
【００３０】
コネクタ端子１００は、保持部８０に支持され蛍光灯３０の芯線３１（図１２参照）に接触する第１接触部１０１と、固定部７０に支持され電源端子６２（図１０参照）に接触する第２接触部１０２と、第２接触部１０２と第１接触部１０１との間に介設された可撓部１０３とを有する。
【００３１】
第１接触部１０１は、保持部８０に固定される爪１０４を有する基部１０５と、基部１０５に形成され蛍光灯３０の芯線３１を弾性的に挟持するスプリング部１０６とを有し、保持部本体８１に形成された収容溝８６内に収容されている。スプリング部１０６は、芯線３１を挟んで配置された一対の第１弾性部１０７と、各第１弾性部１０７の先端から内側に折り返すように屈曲され実質的に芯線３１を挟持する第２弾性部１０８とを有し、第１弾性部１０７のバネ力と第２弾性部１０８のバネ力とが直列的に芯線３１に作用するダブルスプリング構造となっている。第１弾性部１０７と第２弾性部１０８との接続部には、芯線３１を内方にガイドするための斜面部１０９が形成されていると共に、アクチュエータ８３を閉じたときアクチュエータ８３の内面に形成された端子押圧部８７（図１２参照）に押されて各第１弾性部１０７を内側に撓ませるための被押圧部１１０が外方に突出させて形成されている。
【００３２】
第２接触部１０２は、回路基板４０と直交する板状、即ちＹＺ平面と平行な板状に形成され、その両側の縁部が固定部７０の固定部本体７１及び嵌入部７４に形成された溝７５に係合されている。この第２接触部１０２は、コネクタ上部５０の固定部７０の嵌入部７４をコネクタ下部６０（図１０参照）の嵌入孔６３に挿入した際に、コネクタ下部６０に装着された電源端子６２の第３接触部６２ａが押し付けられる。
【００３３】
可撓部１０３は、ＹＺ平面においてＳ字状に蛇行して形成されており、第１接触部１０１が第２接触部１０２に対してＸ方向に移動した際に、弾性的に変形する。
【００３４】
図１０は、反射板１０、回路基板４０、バックライト用コネクタ２０及び蛍光灯３０を示す斜視縦断面図である。
【００３５】
バックライト用コネクタ２０は、上述したように、反射板１０に装着されるコネクタ上部５０と、回路基板４０に装着されるコネクタ下部６０とからなる。
【００３６】
コネクタ下部６０は、回路基板４０に固定されるベース部６５と、回路基板４０に対してＸ方向に移動可能なスライド部６１とを有する。ベース部６５は、それに支持されたコネクタ端子６２のリード部６２ｂが回路基板４０のディップ孔４２に挿通されて半田付けされることで、回路基板４０にリジッドに固定される。スライド部６１は、その脚部６６が回路基板４０に形成された取付孔４１に挿通されてフック６７が回路基板４０の裏面に係合することで、回路基板４０に対してＸ方向にのみ移動自在となっている。ベース部６５に対してスライド部６１がＸ方向に移動する際、ベース部６５とスライド部６１との間に介設されたヒンジ部６４（図５参照）が弾性的に変形する。
【００３７】
コネクタ上部５０は、蛍光灯３０を保持する保持部８０と、反射板１０に固定される固定部７０とを有する。固定部７０は、その脚部７２が反射板１０に形成された取付孔１３に挿通されてフック７３が反射板１０の裏面に係合することで、反射板１０にリジッドに（Ｘ、Ｙ、Ｚ方向に移動不能に）固定される。その固定部７０には、保持部８０が上述した滑り機構９０によってＸ方向にのみ移動可能に係合されている。保持部８０が固定部７０に対してＸ方向に移動する際、保持部８０と固定部７０とを架け渡して形成されたコネクタ端子１００は、その可撓部１０３が弾性変形する。保持部８０には、アクチュエータ８３によって蛍光灯３０が保持される。
【００３８】
コネクタ上部５０の固定部７０に回路基板４０側に向けて突出して形成された嵌入部７４は、コネクタ下部６０のスライド部６１に形成された嵌入孔６３に、Ｚ方向に深さ自在に挿入されている。嵌入孔６３に挿入された嵌入部７４は、上述したように嵌入孔６３に対してＹ方向に移動可能、Ｘ方向に移動不能となっている。そして、コネクタ上部５０の嵌入部７４に支持されたコネクタ端子１００の第２接触部１０２に、コネクタ下部６０のスライド部６１に支持された電源端子６２の第３接触部６２ａが、押し付けられている。これにより、回路基板４０の電力が電源端子６２とコネクタ端子１００とを介して蛍光灯３０に供される。
【００３９】
図１１は、アクチュエータ８３を開いたバックライト用コネクタ２０及び蛍光灯３０を示す斜視図、図１２は、アクチュエータ８３を閉じたバックライト用コネクタ２０及び反射板１０の斜視横断面図である。
【００４０】
コネクタ上部５０の保持部８０には、蛍光灯３０の芯線３１を収容する芯線溝８８が形成されている。収容溝８８には、アクチュエータ８３を閉じたとき、アクチュエータ８３の内面の天井部にリブ状に形成された芯線押え部８９が挿入される。この芯線押え部８９により、芯線３１が収容溝８８の底部の方向に押圧され、芯線３１がコネクタ端子１００の第２弾性部１０８同士の間の適正位置に位置付けられる。
【００４１】
また、コネクタ上部５０の保持部８０には、コネクタ端子１００の被押圧部１１０が突出される押圧溝８１１が形成されている。押圧溝８１１には、アクチュエータ８３を閉じたとき、アクチュエータ８３の内面の天井部にリブ状に形成された端子押え部８７が挿入される。この端子押え部８７によりコネクタ端子１００の被押圧部１１０が内側に押圧され、コネクタ端子１００の第１弾性部１０７が内側に弾性変形され、芯線３１が第２弾性部１０８の間に弾性的に挟持される。
【００４２】
本実施形態に係るバックライト用コネクタ２０の組付方法及び蛍光灯３０の装着方法を述べる。
【００４３】
先ず、図１０に示すように、バックライト用コネクタ２０に蛍光灯３０を装着するに先立ち、反射板１０の取付孔１３に、保持部８０と固定部７０とが一体となったコネクタ上部５０の固定部７０の脚部７２を液晶ディスプレイ側（図１０の上側）から挿入し、脚部７２のフック７３を反射板１０の裏面に係止させる。これにより、固定部７０が反射板１０にリジッドに固定される。他方、回路基板４０の取付孔４１に、コネクタ下部６０のスライド部６１の脚部６６を液晶ディスプレイの反対側（図１０の下側）から挿入し、脚部６６のフック６７を回路基板４０の裏面に係合させ、スライド部６１を回路基板４０にＸ方向にのみ移動可能に装着する。また、回路基板４０のディップ孔４２に、コネクタ下部６０のベース部６５に支持された電源端子６２のリード部６２ｂを挿入し、そのリード部６２ｂを回路基板４０に配された導体（電源用）に半田付けする。以上の工程により初期準備が完了する。
【００４４】
次に、反射板１０の裏面に突き出たコネクタ上部５０の固定部７０の嵌入部７４を、回路基板４０に取り付けられたコネクタ下部６０のスライド部６１の嵌入孔６３に対向させ、反射板１０と回路基板４０とを平行に保ったままＺ方向に近接させる。これにより、嵌入部７４が嵌入孔６３に挿入され、嵌入部７４に支持されたコネクタ端子１００の第２接触部１０２が、スライド部６１に支持された電源端子６２の第３接触部６２ａに接触することになる。こうして、コネクタ上部５０とコネクタ下部６０とが機械的に一体化されると共に電気的にも一体化され、コネクタ端子１００には電源端子６２を介して回路基板４０から電力が供給されるようになる。
【００４５】
その後、図１１に示すように、アクチュエータ８３を立ち上げて開放し、保持部８０の蛍光灯受け部８２に蛍光灯３０を嵌め込み、その芯線３１を芯線溝８８に位置付けする。その状態で、アクチュエータ８３を回動して閉じる。すると、アクチュエータ８３の閉回動が進行するに伴い、アクチュエータ８３の内面の天井部に形成された芯線押え部８９が芯線溝８８に挿入される。この芯線押え部８９により、蛍光灯３０の芯線３１が仮に上方に反り返っていたような場合であっても、その芯線３１が芯線押え部８９によって芯線溝８８の底部側に押圧され、その歪みが正される。
【００４６】
アクチュエータ８３の閉回動が進行すると、図１０、図１２に示すように、アクチュエータ８３の内面の天井部に芯線押え部８９よりもアクチュエータ８３の回動軸から遠い位置に形成された端子押え部８７が、押圧溝８１１に挿入される。この端子押え部８９により、押圧溝８１１に突出されたコネクタ端子１００の被押圧部１１０が内側に押圧され、第２弾性部１０８同士の間に芯線３１が挟持される。その後、アクチュエータ８３の閉回動が更に進行すると、アクチュエータ８３の内面の両側部に形成された凸部８５（図１１参照）がコネクタ上部５０の保持部８０に形成された凹部８４に係合し、アクチュエータ８３が閉状態にロックされる。以上により、バックライト用コネクタ２０の組付及び蛍光灯３０の装着が完了する。
【００４７】
本実施形態の作用を述べる。
【００４８】
図１１に示すように、アクチュエータ８３を開き、蛍光灯３０をコネクタ上部５０の蛍光灯受け部８２に嵌め込み、図１０に示すようにアクチュエータ８３を閉じることで、蛍光灯３０をコネクタ２０に機械的（メカニカル）に保持でき、且つ蛍光灯３０の芯線３１を電気的にコネクタ２０に接続できる。すなわち、蛍光灯３０をワンタッチでコネクタ２０にセットでき、半田付け作業は不要であり、その作業性は極めて簡便である。
【００４９】
また、予め、反射板１０に複数のコネクタ上部５０を装着し、回路基板４０に複数のコネクタ下部６０を装着しておき、反射板１０と回路基板４０とを平行に近接させて各コネクタ上部５０と各コネクタ下部６０とを一体化させているので、コネクタ上部５０とコネクタ下部６０との一体化（組み立て）は複数同時に成されることになり、その組立性が向上する。
【００５０】
よって、液晶ディスプレイの組立作業性（生産性）を向上できる。
【００５１】
また、反射板１０に取り付けられたコネクタ上部５０の固定部７０の取付位置と、回路基板４０に取り付けられたコネクタ下部６０のベース部６５の取付位置とに、Ｘ方向及び／又はＹ方向の誤差が生じている場合、或いは反射板１０と回路基板４０との相対的な位置に、Ｘ方向及び／又はＹ方向の誤差が生じている場合、かかる誤差は、コネクタ上部５０の固定部７０に形成された嵌入部７４をコネクタ下部６０のスライド部６１に形成された嵌入孔６３に挿入する際に、次のように吸収される。
【００５２】
上記取付誤差の内のＹ方向の成分は、コネクタ上部５０の固定部７０に形成された嵌入部７４が、コネクタ下部６０のスライド部６１に形成された嵌入孔６３内をＹ方向に移動することで、吸収される。このとき、コネクタ下部６０のスライド部６１は、回路基板４０に対してＹ方向に移動しない。また、嵌入部７４が嵌入孔６３内をＹ方向に移動する際、嵌入部７４に支持された平板状の第２接触部１０２が、嵌入孔６３に突出された断面く字状の第３接触部６２ａに押し付けられた状態でＹ方向に摺動するので、適正な電気的接続が確保される。
【００５３】
上記取付誤差の内のＸ方向の成分は、コネクタ上部５０の嵌入部７４がコネクタ下部６０のスライド部６１をＸ方向に押し引きすることで吸収される。すなわち、コネクタ上部５０の固定部７０に形成された嵌入部７４がコネクタ下部６０のスライド部６１に形成された嵌入孔６３に挿入された状態で、そのスライド部６１が回路基板４０の取付孔４１に対してＸ方向に移動することで吸収される。このとき、スライド部６１は、回路基板４０に固定されたベース部６５に対してＸ方向に移動することになるが、かかる移動は、ベース部６５とスライド部６１とを弾性的に連結するヒンジ部６４（図５参照）が撓むと共に、電源端子６２の可撓部６２ｅが撓むことで許容される。また、コネクタ上部５０の嵌入部７４とコネクタ下部６０のスライド部６１とは一体的にＸ方向に移動するので、コネクタ上部５０の第２接触部１０２とコネクタ下部６０の第３接触部６２ａとの接触位置関係が変動することはなく、適正な電気的接続が確保される。
【００５４】
また、反射板１０と回路基板４０との相対的な位置に、Ｚ方向の誤差が生じている場合、かかる誤差は、コネクタ上部５０の固定部７０に形成された嵌入部７４をコネクタ下部６０のスライド部６１に形成された嵌入孔６３に挿入する際、その挿入深さの深浅を調節することによって吸収される。この調節時、嵌入部７４に支持された平板状の第２接触部１０２が、嵌入孔６３に突出された断面く字状の第３接触部６２ａに押し付けられた状態でＺ方向に摺動するので、適正な電気的接続が確保される。
【００５５】
また、コネクタ２０にセットされた蛍光灯３０が点灯されてその長手方向に熱膨張する或いは蛍光灯３０が消灯されてその長手方向に熱収縮すると、蛍光灯３０を保持する保持部８０が反射板１０にリジッドに固定された固定部７０に対して蛍光灯３０の長手方向であるＸ方向に移動する。このとき、コネクタ端子１００の可撓部１０３が撓み、保持部８０の固定部７０に対する移動が許容される。よって、蛍光灯３０の熱膨張が吸収され、蛍光灯３０に熱応力が生じることはない。また、コネクタ端子１００が損傷することもなく、蛍光灯３０への電力の供給が健全に維持される。
【００５６】
また、図１２に示すように、蛍光灯３０の芯線３１がコネクタ端子１００のスプリング部１０６に挟持されるところ、そのスプリング部１０６は、第１弾性部１０７と第２弾性部１０８とからなるダブルスプリング構造となっているので、蛍光灯３０の直径の違いに因る芯線３１の直径の違いに柔軟に追従して各径の芯線３１を適正な押圧力で弾性的に挟持できる。
【図面の簡単な説明】
【００５７】
【図１】液晶ディスプレイ（図示せず）の背面に配置される反射板を液晶ディスプレイ側から見た概略斜視図である。
【図２】図１の反射板を図１とは反対側から見た概略斜視図である。
【図３】図２の部分拡大図である。
【図４】図２のコネクタ下部を単独で表示した斜視図である。
【図５】図４のコネクタ下部を反対側から見た斜視図である。
【図６】図４のコネクタ下部の縦断面斜視図である。
【図７】図１に示すコネクタ上部及び蛍光灯の斜視図である。
【図８】コネクタ上部及び蛍光灯の斜視縦断面図である。
【図９】コネクタ上部の分解斜視図である。
【図１０】反射板、回路基板、バックライト用コネクタ及び蛍光灯を示す斜視縦断面図である。
【図１１】アクチュエータを開いたバックライト用コネクタ及び蛍光灯を示す斜視図である。
【図１２】アクチュエータを閉じたバックライト用コネクタ及び反射板の斜視横断面図である。
【符号の説明】
【００５８】
１０  反射板
２０  バックライト用コネクタ
３０  蛍光灯
３１  芯線
５０  コネクタ上部
６０  コネクタ下部
６１  スライド部
６２  電源端子
６２ａ  第３接触部
６２ｂ  リード部
６２ｅ  可撓部
６３  嵌入孔
６５  ベース部
７０  固定部
７４  嵌入部
８０  保持部  
８３  アクチュエータ
９０  滑り機構
１００  コネクタ端子
１０１  第１接触部
１０２  第２接触部
１０３  可撓部
１０６  スプリング部
１０７  第１弾性部
１０８  第２弾性部
【図１】
2008117704.tif 000003
【図２】
2008117704.tif 000004
【図３】
2008117704.tif 000005
【図４】
2008117704.tif 000006
【図５】
2008117704.tif 000007
【図６】
2008117704.tif 000008
【図７】
2008117704.tif 000009
【図８】
2008117704.tif 000010
【図９】
2008117704.tif 000011
【図１０】
2008117704.tif 000012
【図１１】
2008117704.tif 000013
【図１２】
2008117704.tif 000014